(57)【要約】      （修正有）【課題】生体内で抗酸化性の機能を有し、アンチエイジングや生活習慣病の予防、ガンの予防に効果があり、老人の老化防止、健康増進のためのウルトラファインバブル水素水を病院、温泉、療養所、介護施設、個人家庭に於いて、安全・安定自動供給装置を提供する。【解決手段】水道蛇口１に接続する水の取り入れ装置１、水流へ水素を混入するエジェクター６、エジェクターで混入した水素をマイクロバブルに発泡する共鳴発泡装置８、空気マイクロバブルを真空キャビテーションで破砕する真空キャビテーションポンプ１０、ウルトラファインバブル水素水の通導パイプ１９、加圧減圧センサースイッチ１３と加圧減圧センサースイッチ信号リード線１４で構成され、地震・火災に対応する水素ガス安全供給装置及び水素ガスボンベ保護ケース２９を備える構造とする自動供給装置。【選択図】図１
2017196612.tif 000002
【特許請求の範囲】
【請求項１】
水道蛇口又は、水道管に接続する水の取り入れ装置と、
水をエジェクターへ送るパイプと、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水道蛇口からの水流へ水素ガスを混入するエジェクターと、
エジェクターで混入した水素ガスを水素マイクロバブルに発泡する共鳴発泡装置と、
発生した水素マイクロバブルを真空キャビテーションで破砕してウルトラファインバブル水素水にする真空キャビテーションポンプと、
ポンプ及び、防爆水素ガス開閉装置を作動する水圧センサースイッチと、
水圧センサースイッチの信号をポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕した水素ウルトラファインバブルを通導するパイプと、
蓄水タンクから各給水蛇口へ配水するパイプと、
水素ウルトラファインバブル水供給の開閉栓を有する給水蛇口とからなり、
水道蛇口からの水をウルトラファインバブル水素水へ安全に変え、必要箇所へ自動的に分配供給を可能とすることを特徴とするウルトラファインバブル水素水製造自動供給配水装置。
【請求項２】
水源又は、水道パイプに接続する水の取り入れるパイプ装置と、
水流に強い噴射圧力を発生する１次ポンプと
水圧センサースイッチから送られる信号で１次ポンプを作動する装置と、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水流へ水素ガスを混入するエジェクターと、
エジェクターで混入した水素ガスを水素マイクロバブルに発泡する共鳴発泡装置と、
水素マイクロバブルを真空キャビテーションで破砕してウルトラファインバブル水素水にする２次真空キャビテーションポンプと、
１次ポンプ及び、２次真空キャビテーションポンプ及び、防爆水素ガス開閉装置を作動する水圧センサースイッチと、
水圧センサースイッチの信号を１次ポンプ及び、２次真空キャビテーションポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕した水素ウルトラファインバブルを通導するパイプと、
蓄水タンクから各給水蛇口へ配水するパイプと、
水素ウルトラファインバブル水供給の開閉栓を有する給水蛇口とからなり、
水源からの水をウルトラファインバブル水素水へ安全に変え、必要箇所へ自動的に分配供給を可能とすることを特徴とするウルトラファインバブル水素水製造自動供給配水装置。
【請求項３】
ウルトラファインバブル水素水自動給配水装置の水素供給装置の地震及び火災に対する水素安全供給装置で、
水素ガスボンベ保護ケースと、
水素ガスボンベと、
ガス減圧装置と、
ガス消臭ろ過装置と、
防爆自動水素ガス開閉装置と、
地震・火災の信号で作動するケース内又は、外のスプリンクラーと、
スプリンクラー自動開閉装置と、
地震・火災の信号伝達リード線と、
地震・火災報知機センサーと、
スプリンクラー給水パイプとからなり、
地震・火災の信号の作動によってケース内又は、外のスプリンクラーが作動してケースを冷却する安全自動水素供給装置を有することを特徴とする
ウルトラファインバブル水素水製造自動供給配水装置。
【発明の詳細な説明】
【技術分野】
【０００１】  本発明は、水冷防災装置付きウルトラファインバブル水素水自動給配水装置に関する。
【背景技術】
【０００２】  水素のウルトラファインバブルは、人体に発生する活性酸素を消去し、細胞の老化を防止し、活性酸素に伴う各種の疾病の予防に効果がある。また、がん細胞の発生抑制にも効果があることが知られている。しかし、ウルトラファインバブル水素水の製造はプロパンガス同様火災による水素ボンベの爆発の危険性を伴うので常時熟練した技術者がそばに付いて製造する必要がある。
そのため、大規模な温泉、医療施設、介護施設においても、水素のウルトラファインバブルの自動供給配水は行われていない。【０００３】文献１は、当出願者が発明した「共鳴発泡と真空キャビテーションによる還元性ラジカルを有するウルトラファインバブル水の製造方法及び、ウルトラファインバブル水素水製造装置」である。
温泉・医療施設において抗酸化機能性のウルトラファインバブル水素水を、自動供給する場合においては、地震・火災に対する水素供給装置への安全対策を必要とするが、文献１には安全装備がなく、常時確実に安全に自動給配水をすること可能でない。
本出願では、温泉・医療施設において水素のウルトラファインバブル水の抗酸化機能性水を安全に自動給配水することを可能としている。【０００４】
【特許文献１】特願２０１５−１６３２２１
【発明が解決しようとする課題】
【０００５】  生体内で抗酸化性の機能を有し、アンチエイジングや生活習慣病の予防、ガンの予防に効果があり、老人の老化防止、健康増進のためのウルトラファインバブル水素水を病院、温泉、療養所、介護施設、個人家庭に於いて、安全・安定自動供給装置を提供することが課題である。
特に、病院、温泉、療養所、介護施設では、抗酸化水のウルトラファインバブル水素水を常時、自動的に供給することにより、利便性が高まるとともに、より機能性の高い抗酸化機能性水を新鮮な処理水で供給することが課題である。
さらに、水素ガスを使用するので、これら施設では地震、火災等の不測の事態に対しても、安全性を高く保つことが課題である。
【課題を解決するための手段】
＜水道蛇口からの水を水素ウルトラファインバブル水にする自動給配水装置＞
【０００６】図１には、水道からのウルトラファインバブル水素水自動供給装置図を示した。
水道蛇口に接続するウルトラファインバブル水素水を個々の水道蛇口へ自動給水するためには、地震・火災等不慮の災難があっても、安全な水素供給装置２９を用いる必要がある。
水道蛇口から供給する水で自動給水するウルトラファインバブル水素水の供給装置場合は、水道蛇口に接続する水の取り入れ装置１、地震・火災に対応する水素ガス安全供給装置３５、水流へ水素を混入するエジェクター６、エジェクターで混入した水素をマイクロバブルに発泡する共鳴発泡装置８、空気マイクロバブルを真空キャビテーションで破砕する真空キャビテーションポンプ１０、ウルトラファインバブル水素水の通導パイプ１９、個々の配水蛇口２５、配水蛇口２５前に設置する加圧減圧センサースイッチ１３と加圧減圧センサースイッチ信号リード線１４で構成される。
装置の作動は、各配水蛇口１９を開けば、通導パイプ１８内の圧力が減衰し、加圧減圧センサースイッチ１３が作動して、その信号がリード線１６を通じて、一方は水素ガス安全供給装置２９の防爆自動水素ガス開閉装置２８へ送られ、水素ガスの供給が始まり、一方は真空キャビテーションポンプ１０を作動する。真空キャビテーションポンプ１０の作動で水流が発生し、エジェクター６で水と水素の混合が行われ、共鳴発泡装置８で水素のマイクロバブル発泡がおこる。水素マイクロバブル発泡水は、真空キャビテーションポンプ１０の減圧で数十倍に膨張し、膨張した気泡が真空キャビテーションで破砕され、ウルトラファインバブル水素水になる。
地震・火災に対応する水素ガス安全供給装置２９は、水素ガスボンベ２０、ボンベ元栓２１、ガス圧メーター２２、減圧バルブ２３、減圧ガスメーター２４、ガス流量計２５、ガスニードルバルブ２６、ガス消臭ろ過装置２７、防爆自動水素ガス開閉装置２８、地震・火災に対応する水素ガスボンベ保護ケース２９で構成されている。
水素ガスボンベ保護ケース２９の安全装置は、ケース内又は、外に設置するスプリンクラー３０、スプリンクラー自動開閉装置３１、地震・火災の信号伝達リード線３２、地震・火災報知機センサー３３、スプリンクラー給水パイプ３４で構成されている。
＜水道管・地下水等の水源の水をウルトラファインバブル水素水にする自動給配水装置＞
【０００７】図２には、水源からの自吸式ウルトラファインバブル水素水自動供給装置図を示した。
水道管・地下水等の水源に接続する場合も、ウルトラファインバブル水素水を個々の水道蛇口へ自動給水するためには、地震・火災当不慮の災難があっても、安全な水素供給装置３５を用いる必要がある。
水道管・地下水等の水源から供給する水で自動給水するウルトラファインバブル水素水供給装置の場合は、水の取り入れ装置１、吸水パイプ２、１次ポンプ３、地震・火災に対応する水素ガス安全供給装置３５、水流へ水素を混入するエジェクター６、エジェクターで混入した水素をマイクロバブルに発泡する共鳴発泡装置８、空気マイクロバブルを真空キャビテーションで破砕する真空キャビテーションポンプ１０、ウルトラファインバブル水素水配水通導パイプ１８、個々の配水蛇口１９、配水蛇口１９前に設置する加圧減圧センサースイッチ１３と加圧減圧センサースイッチ信号リード線１６で構成される。
装置の作動は、各配水蛇口１９を開けば、通導パイプ１８内の圧力が減衰し、加圧減圧センサースイッチ１３が作動して、その信号がリード線１６を通じて、一方は水素ガス安全供給装置２９の防爆自動水素ガス開閉装置２８へ送られ、水素ガスの供給が始まり、一方は真空キャビテーションポンプ１０を作動する。真空キャビテーションポンプ１０の作動で水流が発生し、エジェクター６で水と水素の混合が行われ、共鳴発泡装置８で水素のマイクロバブル発泡がおこる。水素マイクロバブル発泡水は、真空キャビテーションポンプ１０の減圧で数十倍に膨張し、膨張した気泡が真空キャビテーションで破砕され、ウルトラファインバブル水素水になる。
水道管・地下水等の水源の水をウルトラファインバブル水素水にする場合に於いても、
地震・火災に対応する水素ガス安全供給装置２９は、水素ガスボンベ２０、ボンベ元栓２１、ガス圧メーター２２、減圧バルブ２３、減圧ガスメーター２４、ガス流量計２５、ガスニードルバルブ２６、ガス消臭ろ過装置２７、防爆自動水素ガス開閉装置２８、地震・火災に対応する水素ガスボンベ保護ケース２９で構成されている。
水素ガスボンベ保護ケース２９の安全装置は、ケース内又は、外に設置するスプリンクラー３０、スプリンクラー自動開閉装置３１、地震・火災の信号伝達リード線３２、地震・火災報知機センサー３３、スプリンクラー給水パイプ３４で構成されている。
その作動は、地震・火災が発生すれば、地震・火災報知機センサー３３からの信号で、防爆自動水素ガス開閉装置２８が閉塞し、保護ケース２９に設置するスプリンクラー自動開閉装置３０が作動してスプリンクラーが開いて水を噴霧して、保護ケース２９内を冷却し、ガスボンベの火災破損爆発を防止する。
【産業上利用の可能性】
【０００８】  水素のウルトラファインバブルは、人体の活性酸素を消去することを可能とし、老化防止（アンチエイジ）、ガン予防、生活習慣病予防、アトピー性皮膚炎の予防並びに治療、アレルギー体質改善等の効果がある。
病院、リハビリ施設、養護施設、老人ホーム、スポーツ施設、個人家庭等に本装置を設置すれば、安全に手軽にウルトラファインバブル水素水を供給し、健康増進が図れる。
高齢者の健康増進により、高齢化社会の、保険医療費増大を抑制することが可能である。
【図面の簡単な説明】
【０００９】
【図１】水道からのウルトラファインバブル水素水自動供給装置。
【図２】水源からの自吸式ウルトラファインバブル水素水自動供給装置。
【符号の説明】１    水源又は水道
２    吸水パイプ
３    １次ポンプ
４    １次ポンプ作動モーター
５    エジェクターへの導水パイプ
６    気液混合用エジェクター
７    共鳴発泡装置への導水パイプ
８    共鳴発泡装置
９    ２次ポンプへの導水パイプ（マイクロバブル送水）
１０  ２次ポンプ（真空キャビテーション）
１１  ２次ポンプ作動モーター
１２  ウルトラファインバブル導水パイプ
１３  加圧減圧センサースイッチ（又はセンサースイッチボックス）
１４  加圧減圧センサースイッチの電源リード線
１５  電源ソケット
１６  電動モータ  水素ガス防爆開閉装置への情報伝達リード線
１７  ウルトラファインバブル生成装置フレーム台
１８  ウルトラファインバブル水配水パイプ
１９  ウルトラファインバブル水素水給水蛇口
２０  水素ガスボンベ
２１  ボンベ元栓
２２  ガス圧メーター
２３  減圧バルブ
２４  減圧ガスメーター
２５  ガス流量計
２６  ガスニードルバルブ
２７  ガス消臭ろ過装置
２８  防爆自動水素ガス開閉装置
２９  地震・火災に対応する水素ガス安全供給装置及び水素ガスボンベ保護ケース
３０  地震・火災の信号で作動するケース内又は、外のスプリンクラー
３１  スプリンクラー自動開閉装置
３２  地震・火災の信号伝達リード線
３３  地震・火災報知機センサー
３４  スプリンクラー給水パイプ
【図１】
2017196612.tif 000003
【図２】
2017196612.tif 000004
【手続補正書】
【提出日】平成29年6月26日(2017.6.26)
【手続補正１】
【補正対象書類名】特許請求の範囲
【補正対象項目名】請求項１
【補正方法】変更
【補正の内容】
【請求項１】
水道蛇口又は、水道管に接続する水の取り入れ装置と、
水をエジェクターへ送るパイプと、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水道蛇口からの水流へ水素ガスを混入するエジェクターと、
エジェクターで混入した水素ガスを水素マイクロバブルに発泡する共鳴発泡装置と、
発生した水素マイクロバブルを真空キャビテーションで破砕してウルトラファインバブル水素水にする真空キャビテーションポンプと、
ポンプ及び、防爆水素ガス開閉装置を作動する水圧センサースイッチと、
水圧センサースイッチの信号をポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕したウルトラファインバブル水素水を通導するパイプと、
蓄水タンクから各給水蛇口へ配水するパイプと、
水素ウルトラファインバブル水供給の開閉栓を有する給水蛇口とからなり、
水道蛇口からの水をウルトラファインバブル水素水へ安全に変え、必要箇所へ自動的に分配供給を可能とすることを特徴とするウルトラファインバブル水素水製造自動供給配水装置。
【手続補正２】
【補正対象書類名】特許請求の範囲
【補正対象項目名】請求項２
【補正方法】変更
【補正の内容】
【請求項２】
水源又は、水道パイプに接続する水の取り入れるパイプ装置と、
水流に強い噴射圧力を発生する１次ポンプと
水圧センサースイッチから送られる信号で１次ポンプを作動する装置と、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水流へ水素ガスを混入するエジェクターと、
エジェクターで混入した水素ガスを水素マイク口バブルに発泡する共鳴発泡装置と、
水素マイクロバブルを真空キャビテーションで破砕してウルトラファインバブル水素水にする２次真空キャビテーションポンプと、
１次ポンプ及び、２次真空キャビテーションポンプ及び、防爆水素ガス開閉装置を作動する水圧センサースイッチと、
水圧センサースイッチの信号を１次ポンプ及び、２次真空キャビテーションポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕したウルトラファインバブル水素水を通導するパイプと、
蓄水タンクから各給水蛇口へ配水するパイプと、
水素ウルトラファインバブル水供給の開閉栓を有する給水蛇口とからなり、
水源からの水をウルトラファインバブル水素水へ安全に変え、必要箇所へ自動的に分配供給を可能とすることを特徴とするウルトラファインバブル水素水製造自動供給配水装置。
【手続補正３】
【補正対象書類名】特許請求の範囲
【補正対象項目名】請求項３
【補正方法】削除
【補正の内容】
【手続補正書】
【提出日】平成29年8月3日(2017.8.3)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
水道蛇口又は、水道管に接続する水の取り入れ装置と、
水をエジェクターへ送るパイプと、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水道蛇口からの水流へ水素ガスを混入するエジェクターと、
エジェクターで混入した水素ガスを水素マイクロバブルに発泡する共鳴発泡装置と、
発生した水素マイクロバブルを真空キャビテーションで破砕してウルトラファインバブル水素水にする真空キャビテーションポンプと、
ポンプ及び、防爆水素ガス開閉装置を作動する水圧センサースイッチと、
水圧センサースイッチの信号をポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕したウルトラファインバブル水素水を通導するパイプと、
蓄水タンクから各給水蛇口へ配水するパイプと、
ウルトラファインバブル水素水供給の開閉栓を有する給水蛇口とからなり、
水道蛇口からの水をウルトラファインバブル水素水へ安全に変え、必要箇所へ自動的に分配供給を可能とすることを特徴とするウルトラファインバブル水素水製造自動供給配水装置。
【請求項２】
水源又は、水道パイプに接続する水の取り入れるパイプ装置と、
水流に強い噴射圧力を発生する１次ポンプと
水圧センサースイッチから送られる信号で１次ポンプを作動する装置と、
水素ガス供給装置と、
水素ガス定圧定量調整装置と、
水素ガス供給装置からのガスの脱臭洗浄装置と、
脱臭装置からエジェクターへ水素ガスを通導する金属製のガスパイプと、
水圧センサースイッチから送られる信号で水素ガス供給防爆開閉装置を作動する装置と、
水流へ水素ガスを混入するエジェクターと、
エジェクターで混入した水素ガスを水素マイクロバブルに発泡する共鳴発泡装置と、
水素マイクロバブルを真空キャビテーションで破砕してウルトラファインバブル水素水にする２次真空キャビテーションポンプと、
１次ポンプ及び、２次真空キャビテーションポンプ及び、防爆水素ガス開閉装置を作動する水圧センサースイッチと、
水圧センサースイッチの信号を１次ポンプ及び、２次真空キャビテーションポンプ及び、防爆水素ガス開閉装置へ伝達するリード線と、
真空キャビテーションで破砕したウルトラファインバブル水素水を通導するパイプと、
共鳴発泡装置までの水素ガス供給装置全系統を覆い外部と遮断保護する防災ケースと、
防災ケース内を地震及び火災から守るスプリンクラーを有する自動散水冷却装置と、
付設自動散水冷却装置と接続する火災及び地震報知機と、
火災及び地震報知機の信号を自動散水冷却装置へ接続するリード線と、
真空キャビテーションで破砕したウルトラファインバブル水素水を通導するパイプと、
蓄水タンクから各給水蛇口へ配水するパイプと、
ウルトラファインバブル水素水供給の開閉栓を有する給水蛇口とからなり、
水源からの水をウルトラファインバブル水素水へ安全に変え、必要箇所へ自動的に分配供給を可能とすることを特徴とするウルトラファインバブル水素水製造自動供給配水装置。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】